(57)【要約】【課題】本発明の目的は、スペーサの端子収容室への挿入時に、端子金具へ干渉の抑制を図ったコネクタハウジング及びコネクタを提供することにある。【解決手段】コネクタハウジング１０を構成するハウジング４は、上下左右の４つの壁部を有して筒状に形成され、スペーサ５は、１つの壁部４４Ａを上下に貫通する開口４４０から端子収容室４２に挿入される挿入脚部５２を有し、１つの壁部に隣接する左右の壁部４４Ｂ、４４Ｃのうち少なくとも一方の内面４４１には、挿入脚部を係止する係止凸部４５が設けられ、ハウジングには、挿入脚部が一方の内面に沿って挿入されるように上下方向Ｚに延在する案内溝４６が設けられている。【選択図】図１
2019029292.tif 000002
【特許請求の範囲】
【請求項１】
端子収容室を有するハウジングと、該ハウジングに組み付けられるスペーサと、を備えたコネクタハウジングであって、
前記ハウジングは、上下左右の４つの壁部を有して筒状に形成され、
前記スペーサは、１つの前記壁部を上下に貫通する開口から前記端子収容室に挿入される挿入脚部を有し、
前記１つの壁部に隣接する左右の前記壁部のうち少なくとも一方の内面には、前記挿入脚部を係止する係止凸部が設けられ、
前記ハウジングには、前記挿入脚部が前記一方の内面に沿って挿入されるように上下方向に延在する案内溝が設けられていることを特徴とするコネクタハウジング。
【請求項２】
前記挿入脚部には、前記案内溝に係合した状態で移動されるスライド係合部が設けられていることを特徴とする請求項１に記載のコネクタハウジング。
【請求項３】
前記挿入脚部は、前記スライド係合部より挿入方向先端側に設けられて、前記スライド係合部が前記案内溝に係合するようにガイドする係合ガイド部を有し、
前記係合ガイド部は、先端に向かうにしたがって先細と成るように傾斜する傾斜面を有し、前記傾斜面が、前記案内溝の上縁に最初に当接する位置に形成されていることを特徴とする請求項２に記載のコネクタハウジング。
【請求項４】
前記案内溝は、前記一方の内面と、該一方の内面に連続されるとともに当該一方の内面に交差する交差面と、の間に設けられ、
前記交差面は、前記係止凸部の一部であることを特徴とする請求項１〜請求項３のうち何れか一項に記載のコネクタハウジング。
【請求項５】
前記案内溝は、前記左右の壁部の各内面それぞれに設けられていることを特徴とする請求項１〜請求項４のうち何れか一項に記載のコネクタハウジング。
【請求項６】
請求項１〜請求項５のうち何れか一項に記載のコネクタハウジングと、
前記端子収容室に収容される端子金具と、を備えたことを特徴とするコネクタ。
【発明の詳細な説明】
【技術分野】
【０００１】
本発明は、コネクタハウジング及びコネクタに関するものである。
【背景技術】
【０００２】
自動車には、多種多様な電子機器が搭載され、電子機器に電力や制御信号等を伝えるために、ワイヤハーネスが配索されている。ワイヤハーネスは、複数の電線と、コネクタと、を備え、このコネクタを電子機器のコネクタや他のワイヤハーネスのコネクタに嵌合させることで、電子機器や他のワイヤハーネスに接続されている。
【０００３】
このようなワイヤハーネスに用いられるコネクタとしては、筒状のコネクタハウジングと、該コネクタハウジングに収容されるとともに電線の端末に取り付けられる端子金具と、を備えたものが一般的である（例えば、特許文献１参照）。図１４は、従来のコネクタの分解斜視図である。
【０００４】
特許文献１に開示された従来のコネクタ１００にあっては、図１４に示すように、２つの端子収容室１０２、１０２を有する筒状のハウジング１０３と、スペーサ１０５と、を備えている。図１４では、ハウジング１０３の軸方向を前後方向（矢印Ｘ）と記し、２つの端子収容室１０２が並ぶ方向を左右方向（矢印Ｙ）と記し、矢印Ｙと矢印Ｘとに直交する上下方向（矢印Ｚ）と記す。
【０００５】
ハウジング１０３は、複数の外壁１０３Ａによって箱状に形成されている。このハウジング１０３は、内部に複数（図示例では２つ）の端子収容室１０２を有している。複数の外壁１０３Ａのうち上方に位置する外壁１０３Ａには、上面視が略矩形状の開口部１０４が形成されている。この開口部１０４には、当該開口部１０４を塞ぐようにスペーサ１０５が挿入される。
【０００６】
さらにハウジング１０３の内面には、スペーサ１０５の後述する係止部１０６Ａが係止する係止受け部１０７が設けられている。
【０００７】
スペーサ１０５は、各端子収容室１０２に収容された各端子金具１０５の抜止めをするためのものである。スペーサ１０５は、開口部１０４を塞ぐ略矩形板状のスペーサ本体１０５Ａと、スペーサ本体１０５Ａの左右の縁から立設して設けられるとともに係止部１０６Ａを有する一対の係止片部１０６と、を有してコ字状に形成されている。係止片部１０６には、その下端を切り欠いてスペーサ本体１０５Ａに向かって延在するスリット１０８が形成されている。
【０００８】
このようなスペーサ１０５は、係止片部１０６を開口部１０４に近付けて、開口部１０４から各端子収容室１０２の内部に挿入する。係止部１０６Ａが係止受け部１０７に当接する。さらに挿入することで、係止部１０６Ａが、スリット１０８側に弾性変形して係止する。そして、端子金具１０５が端子収容室１０２の所定の位置に収容される。この後、スペーサ１０５のスペーサ本体１０５Ａにより開口部１０４が塞がれるとともに、スペーサ本体１０５Ａの前後の面１０５ａが、端子金具１０５の進入方向逆側の端面１０５ａに当接することで、端子金具１０５が端子収容室１０２から抜け出ることを防止する。
【先行技術文献】
【特許文献】
【０００９】
【特許文献１】特開２０１３−１１５６１４号公報
【発明の概要】
【発明が解決しようとする課題】
【００１０】
しかしながら、特許文献１に記載の従来のコネクタ１００において、スペーサ１０５は、係止片部１０６を開口部１０４に近付けることにより、係止部１０６Ａが係止受け部１０７に当接する。さらに挿入することで、係止部１０６Ａが弾性変形して、係止受け部１０７を係止するが、係止部１０６Ａが係止受け部１０７に当接した際、係止部１０６Ａが内倒れして、端子金具１０５に干渉する場合があった。
【００１１】
本発明の目的は、スペーサの端子収容室への挿入時に、端子金具へ干渉の抑制を図ったコネクタハウジング及びコネクタを提供することにある。
【課題を解決するための手段】
【００１２】
前記課題を解決し目的を達成するために、請求項１に記載された発明は、端子収容室を有するハウジングと、該ハウジングに組み付けられるスペーサと、を備えたコネクタハウジングであって、前記ハウジングは、上下左右の４つの壁部を有して筒状に形成され、  前記スペーサは、１つの前記壁部を上下に貫通する開口から前記端子収容室に挿入される挿入脚部を有し、前記１つの壁部に隣接する左右の前記壁部のうち少なくとも一方の内面には、前記挿入脚部を係止する係止凸部が設けられ、前記ハウジングには、前記挿入脚部が前記一方の内面に沿って挿入されるように上下方向に延在する案内溝が設けられていることを特徴とするコネクタハウジングである。
【００１３】
請求項２に記載された発明は、請求項１に記載の発明において、前記挿入脚部には、前記案内溝に係合した状態で移動されるスライド係合部が設けられていることを特徴とする。
【００１４】
請求項３に記載された発明は、請求項２に記載の発明において、前記挿入脚部は、前記スライド係合部より挿入方向先端側に設けられて、前記スライド係合部が前記案内溝に係合するようにガイドする係合ガイド部を有し、前記係合ガイド部は、先端に向かうにしたがって先細と成るように傾斜する傾斜面を有し、前記傾斜面が、前記案内溝の上縁に最初に当接する位置に形成されていることを特徴とするものである。
【００１５】
請求項４に記載された発明は、請求項１〜は請求項３のうち何れか一項に記載の発明において、前記案内溝は、前記一方の内面と、該一方の内面に連続されるとともに当該一方の内面に交差する交差面と、の間に設けられ、前記交差面は、前記係止凸部の一部であることを特徴とする。
【００１６】
請求項５に記載された発明は、請求項１〜請求項４のうち何れか一項に記載の発明において、前記案内溝は、前記左右の壁部の各内面それぞれに設けられていることを特徴とするものである。
【００１７】
請求項６に記載された発明は、請求項１〜請求項５のうち何れか一項に記載のコネクタハウジングと、前記端子収容室に収容される端子金具と、を備えたことを特徴とするコネクタである。
【発明の効果】
【００１８】
請求項１に記載の発明によれば、スペーサは、１つの壁部を上下に貫通する開口から端子収容室に挿入される挿入脚部を有し、１つの壁部に隣接する左右の壁部のうち少なくとも一方の内面には、挿入脚部を係止する係止凸部が設けられ、ハウジングには、挿入脚部が一方の内面に沿って挿入されるように上下方向に延在する案内溝が設けられている。これによれば、挿入脚部が案内溝に案内されることにより、係止凸部が挿入脚部を係止する際に、挿入脚部が内倒れすることが抑制される。従って、スペーサを端子収容室に挿入する際に、挿入脚部が端子金具に干渉することの抑制を図ることができる。
【図面の簡単な説明】
【００１９】
【図１】本発明の第１実施形態に係るコネクタを示す分解斜視図である。
【図２】前記コネクタを構成するハウジングを示す斜視図である。
【図３Ａ】前記ハウジングの係止凸部を拡大して示す斜視図である。
【図３Ｂ】図３Ａを上面から見た平面図である。
【図４】前記コネクタを構成するスペーサを示す斜視図である。
【図５Ａ】前記スペーサの挿入脚部を拡大して示す斜視図である。
【図５Ｂ】図５Ａを上面から見た平面図である。
【図６】前記挿入脚部のスライド係合部が、案内溝に係合した状態を示す上面図である。
【図７】前記挿入脚部が係止凸部を係止した状態を模式的に示す図である。
【図８】本発明の第２実施形態に係るコネクタを示す分解斜視図である。
【図９】前記コネクタを構成するハウジングを示す斜視図である。
【図１０Ａ】前記ハウジングの係止凸部を拡大して示す斜視図である。
【図１０Ｂ】図１０Ａを上面から見た平面図である。
【図１１】前記コネクタを構成するスペーサを示す斜視図である。
【図１２Ａ】前記スペーサの挿入脚部を拡大して示す斜視図である。
【図１２Ｂ】図１２Ａを上面から見た平面図である。
【図１３】前記挿入脚部のスライド係合部が、案内溝に係合した状態を示す上面図である。
【図１４】従来のコネクタの分解斜視図である。
【発明を実施するための形態】
【００２０】
（第１実施形態）
以下、本発明の第１実施形態にかかるコネクタを、図１〜図７を参照して説明する。本実施形態のコネクタ１は、自動車などに配索されるワイヤハーネスを構成するものであって、自動車等に搭載される多種多様な電子機器や他のワイヤハーネスに設けられた不図示の相手方のコネクタに嵌合して接続されるものである。ワイヤハーネスは、複数の電線２（図示では１本）と、コネクタ１と、を備えている。電線２は、導電性の芯線と、この芯線を被覆する絶縁性の被覆部とを備え、その端部がコネクタ１の端子金具３に圧着されている。
【００２１】
コネクタ１は、図１に示すように、所謂雌型端子金具である端子金具３と、端子金具３を収容するハウジング４と、ハウジング４に挿入されるスペーサ５と、を備えている。ハウジング４、及びスペーサ５は、コネクタハウジング１０を構成する。このコネクタ１は、雌型端子金具である端子金具３を備えた雌型コネクタであり、相手方の雄型コネクタと嵌合して接続されるものである。なお、本実施形態においては、雌型コネクタであるコネクタ１を例示して説明するが、本発明のコネクタは、雄型コネクタであってもよい。
【００２２】
端子金具３は、導電性の板金に打ち抜き加工と折り曲げ加工が施されて形成され、電線接続部３１と電気接触部３２とを一体に備えている。電線接続部３１は、帯状の底板部と、底板部の幅方向両端に連なる加締め片とを備え、底板部上に芯線が露出された電線２の端部が載置され、加締め片がこの電線２の端部を加締めることによって、電線２の芯線と電気的かつ機械的に接続される。 電気接触部３２は、四角筒状に形成され、電線接続部３１の底板部に連なっている。
【００２３】
ハウジング４は、絶縁性の合成樹脂等で構成され、図２、図３Ａ、図３Ｂに示すように、箱状のハウジング本体４０と、相手方のコネクタをロックするためのロックアーム４１と、を備えている。ハウジング本体４０は、端子金具３を収容する端子収容室４２を備えている。本実施形態では、端子収容室４２の一部であって、スペーサ５が収容される場所をスペーサ収容室４３と記す場合がある。
【００２４】
また、ハウジング本体４０は、図２に示すように、相手方のコネクタに対向する前面４０Ａと、前面４０Ａの反対側で端子金具３が挿入される側の背面４０Ｂと、スペーサ５が挿入される開口部４４０が形成された上壁部４４Ａと、上壁部４４Ａの反対側の底壁部４４Ｂと、ロックアーム４１が設けられる側の第一側壁部４４Ｃと、第一側壁部４４Ｃの反対側の第二側壁部４４Ｄと，を有している。なお、ここで、上壁部４４Ａやの底壁部４４Ｂ等は、あくまで説明を簡明にするための便宜的な呼称に過ぎず、コネクタ１の利用状態における上下左右の方向を規定するものでない。
【００２５】
端子収容室４２は、複数（本実施形態では２個）設けられ、互いに平行に並設されている。複数の端子収容室４２は、ハウジング４の前後方向に延びて直線筒状に形成されており、長手方向の両端がハウジング本体４０の前面４０Ａ及び背面４０Ｂに開口している。
【００２６】
このような端子収容室４２の内部には、ハウジング本体４０の背面４０Ｂ側から端子収容室４２の長手方向に沿って端子金具３が挿入され、この端子金具３が挿入される方向を図１等において矢印Ｘで示し、この方向を端子金具３の前後方向Ｘと記す。また、端子金具３の前後方向Ｘと交差し第一側壁部４４Ｃと第二側壁部４４Ｄとが対向する方向を矢印Ｙで示し、この方向を左右方向Ｙと記し、前後方向Ｘと交差し上壁部４４Ａと底壁部４４Ｂとが対向する方向を矢印Ｚで示し、この方向を上下方向Ｚと記す。なお、端子収容室４２の内部において、ハウジング本体４０の背面４０Ｂ側を「前後方向Ｘの入口側」、前面４０Ａ側を「前後方向Ｘの奥側」と記すことがある。
【００２７】
スペーサ収容室４３には、スペーサ５の後述する挿入脚部５２を係止する複数（本実施形態では４個）の係止凸部４５が設けられている。４個の係止凸部４５は、ハウジング本体４０の第一側壁部４４Ｃ及び第二側壁部４４Ｄの各内面４４１に２個ずつ設けられているとともに、各２個の係止凸部４５が前後方向に離間して設けられている。前後の係止凸部４５は、その中心を軸にする線対称となる向きで設けられている。
【００２８】
各係止凸部４５は、図３Ａ、図３Ｂに示すように、スペーサ本体５１を仮係止位置、及び本係止位置で支持する位置にあり、ハウジング本体４０の第一側壁部４４Ｃ及び第二側壁部４４Ｄの各内面４４１に略垂直な凸部上面４５１、及び凸部下面４５２と、凸部上面４５１と凸部下面４５２との間に位置してこれらに連続される凸部鉛直面４５３と、を有している。凸部上面４５１、凸部下面４５２、及び凸部鉛直面４５３は、第一側壁部４４Ｃ及び第二側壁部４４Ｄの各内面４４１に連続して設けられている。
【００２９】
各係止凸部４５は、凸部上面４５１が、ハウジング本体４０の前面４０Ａ及び背面４０Ｂから離れるにしたがって下方に向けて傾斜する傾斜面から構成されている。凸部鉛直面４５３は、凸部上面４５１の下端に連続して設けられている。凸部鉛直面４５３は、第１垂直面４５４と、第２垂直面４５６と、第１垂直面４５４と第２垂直面４５６の間に連続して設けられてこれらの面４５４、４５６に交差する交差面４５５と、を有して構成されている。凸部鉛直面４５３は、第一側壁部４４Ｃ及び第二側壁部４４Ｄの各内面４４１に連続される第１垂直面４５４、交差面４５５、第２垂直面４５６の順で設けられている。第１垂直面４５４及び第２垂直面４５６は、第一側壁部４４Ｃ及び第二側壁部４４Ｄの各内面４４１に対して略垂直に設けられている。第２垂直面４５６は、第１垂直面４５４より、ハウジング本体４０の前面４０Ａ及び背面４０Ｂから離れた側に位置している。交差面４５５は、第一側壁部４４Ｃ及び第二側壁部４４Ｄの各内面４４１から離れるにしたがって、ハウジング本体４０の前面４０Ａ及び背面４０Ｂから離れるように傾斜する傾斜面から構成されている。凸部下面４５２は、ハウジング本体４０の底壁部４４Ｂに対向して設けられている。
【００３０】
また、ハウジング本体４０には、案内溝４６が形成されている。案内溝４６は、第一側壁部４４Ｃ及び第二側壁部４４Ｄの各内面４４１と、各係止凸部４５の第１垂直面４５４、及び交差面４５５と、の間に設けられている。案内溝４６は、上下方向（一つの壁としてのハウジング本体４０の上壁部４４Ａから離れる方向）に延在して設けられている。このような案内溝４６にスペーサ５の後述するスライド係合部５５が係合されることにより、挿入脚部５２が、第一側壁部４４Ｃ及び第二側壁部４４Ｄの各内面４４１に沿って挿入されるように案内される。
【００３１】
スペーサ５は、図４及び図５Ａ、図５Ｂに示すように、ハウジング本体４０の上壁部４４Ａと平行な矩形板状のスペーサ本体５１と、このスペーサ本体５１から延びてスペーサ収容室４３に挿入される複数（本実施形態では４個）の挿入脚部５２と、を備える。
【００３２】
スペーサ本体５１には、スペーサ５全体がスペーサ収容室４３に収容された本係止位置において、スペーサ本体５１から延びてスペーサ収容室４３に挿入されて、端子金具３の後端縁３ａに当接可能な規制部５３が形成されている。
【００３３】
４個の挿入脚部５２は、スペーサ本体５１の左右の両縁から立設された一対の立設片５２０の下端を切り欠いたスリット５２１が形成されることで得られたものである。スリット５２１を挟んで前後に位置する一対の挿入脚部５２は、スリット５２１の幅寸法を狭くするように弾性変形可能に構成されている。各挿入脚部５２には、スペーサ５の一部がスペーサ収容室４３に収容された仮係止位置において、係止凸部４５の上面に位置し、スペーサ５の全部がスペーサ収容室４３に収容された本係止位置において、係止凸部４５を係止する係止突起５４が形成されている。
【００３４】
係止突起５４は、図５Ａ、図５Ｂに示すように、各挿入脚部５２のスペーサ本体５１から離れた下端部において、スリット５２１から離れる前後方向に突出して設けられている。また、各係止突起５４は、案内溝４６に係合した状態で移動されるスライド係合部５５と、スライド係合部５５が案内溝４６に係合するようにガイドする係合ガイド部５６と、を有している。
【００３５】
スライド係合部５５は、係止突起５４の第一側壁部４４Ｃ及び第二側壁部４４Ｄの各内面４４１側の端部において、スリット５２１から離れる方向に突出して設けられている。スライド係合部５５は、係止凸部４５の第１垂直面４５４に対向する第１対向面５５１と、係止凸部４５の交差面４５５に対向する第２対向面５５２と、係止凸部４５の第２垂直面４５６に対向する第３対向面５５３と、を有している。第１対向面５５１、第２対向面５５２、及び第３対向面５５３は、挿入脚部５２が自然状態である際に、スペーサ本体５１の面方向に直交する方向に延在されている。
【００３６】
係合ガイド部５６は、スライド係合部５５のスペーサ本体５１から離れた側（下方）に隣接して設けられているとともに、各挿入脚部５２の先端部に設けられている。また、係合ガイド部５６は、先端に向かうにしたがって先細となるように傾斜する第１ガイド面５６１（傾斜面）及び第２ガイド面５６２（傾斜面）を有している。第１ガイド面５６１は、スライド係合部５５の第１対向面５５１の下方に連続して設けられている。第２ガイド面５６２は、スライド係合部５５の第２対向面５５２の下方に連続して設けられている。このような係合ガイド部５６は、スペーサ５が挿入された際に、各挿入脚部５２が撓んでいない自然状態で、第１ガイド面５６１が、係止凸部４５の凸部上面４５１と第１垂直面４５４との境界に位置する第１縁４５ａに当接し、第２ガイド面５６２が、係止凸部４５の凸部上面４５１と交差面４５５との境界に位置する第２縁４５ｂに当接するようになっている。
【００３７】
このような係止突起５４が、ハウジング４の係止凸部４５を係止する際には、まず、スペーサ５における挿入脚部５２の先端側をハウジング４の開口４４０に近付けて挿入する。係合ガイド部５６の第１ガイド面５６１が、係止凸部４５の第１縁４５ａに当接し、第２ガイド面５６２が、係止凸部４５の第２縁４５ｂに当接する。
【００３８】
さらに挿入されることで、係合ガイド部５６の第１ガイド面５６１が第１縁４５ａに摺接され、第２ガイド面５６２が第２縁４５ｂに摺接されつつ、第１ガイド面５６１及び第２ガイド面５６２の傾斜により挿入脚部５２がスリット５２１側に弾性変形する。図６に示すように、スライド係合部５５の第１対向面５５１が各係止凸部４５の第１垂直面４５４に対向され、第２対向面５５２が各係止凸部４５の交差面４５５に対向（または接触）され、第３対向面が各係止凸部４５の第２垂直面４５６に当接される。さらに挿入されることで、図７に示すように、スライド係合部５５が係止凸部４５の下側に位置されて、係止突起５４が係止凸部４５を係止する。
【００３９】
このようなスペーサ５は、係止突起５４が、ハウジング本体４０の第一及び第二側壁部４４Ｃ，４４Ｅの各内面４４１に形成された係止凸部４５の上面に位置する仮係止位置において、端子金具３が端子収容室４２から抜け出ることを許容し、係止突起５４が係止凸部４５を係止した本係止位置において、端子金具３が端子収容室４２から抜け出ることを規制する。また、スペーサ５は、本係止位置において、端子収容室４２の内部に位置する規制片部５３が、電気接触部３２の後端縁３ａ（図１参照）に当接することで、端子金具３の抜け出しを規制できるようになっている。
【００４０】
次に、コネクタ１の組立手順としては、先ず、ハウジング４のスペーサ収容室４３にスペーサ５を仮係止位置まで挿入しておく。この仮係止状態で電線２付きの端子金具３をハウジング４の背面４０Ｂ側から端子収容室４２に挿入する。
【００４１】
次に、仮係止状態からスペーサ５をハウジング４に押し込み、スペーサ本体５１の係止突起５４を係止凸部４５に係止させることで、スペーサ収容室４３にスペーサ５全体が収容される本係止位置にスペーサ５を移動させる。ここで、係止突起５４を係止凸部４５に係止させる際、従来技術では、係止突起が内倒れして、端子金具に干渉する場合があったが、本願発明にあっては、挿入脚部５２に設けられたスライド係合部５５が、案内溝４６に係合した状態で移動されることにより、係止突起５４が係止凸部４５の凸部上面４５１に当接し、挿入脚部５２が弾性変形する際に、挿入脚部５２が内倒れすることが抑制される。スペーサ５が本係止位置に位置する本係止状態では、電気接触部３２の後端縁３ａがスペーサ５の規制片部５３に係止される。以上の手順によって、コネクタ１が完成する。
【００４２】
このような本実施形態によれば、以下のような効果がある。即ち、挿入脚部５２が案内溝４６に案内されることにより、係止凸部４５が挿入脚部５２を係止する際に、挿入脚部５２が内倒れすることが抑制される。従って、スペーサ５を端子収容室４２に挿入する際に、挿入脚部５２が端子金具３に干渉することの抑制を図ることができる。
【００４３】
また、挿入脚部５２には、案内溝４６に係合した状態で移動されるスライド係合部５５が設けられている。これによれば、係止凸部４５が挿入脚部５２を係止する際に、スライド係合部５５が案内溝４６に係合されているから、挿入脚部５２が内倒れすることがより一層、抑制される。
【００４４】
また、挿入脚部５２は、スライド係合部５５より挿入方向先端側に設けられて、スライド係合部５５が案内溝４６に係合するようにガイドする係合ガイド部５６を有し、係合ガイド部５６は、先端に向かうにしたがって先細と成るように傾斜する第１ガイド面５６１（傾斜面）、及び第２ガイド面５６２（傾斜面）を有し、ガイド面５６１（傾斜面）、及び第２ガイド面５６２（傾斜面）が、案内溝４６の第１縁４５ａ（上縁）、第２縁４５ｂ（上縁）に最初に当接する位置に形成されている。これによれば、係合ガイド部５６が設けられていることにより、係合ガイド部５６の第１ガイド面５６１（傾斜面）、及び第２ガイド面５６２（傾斜面）が、案内溝４６の第１縁４５ａ（上縁）、第２縁４５ｂ（上縁）に当接することで、スライド係合部５５が案内溝４６に係合され易くできる。従って、係止凸部４５が挿入脚部５２を係止する際に、挿入脚部５２が内倒れすることがより一層、抑制される。
【００４５】
また、案内溝４６は、第一及び第二側壁部４４Ｃ，４４Ｅの内面４４１（一方の内面）と、該一方の内面４４１に連続されるとともに当該一方の内面４４１に交差する交差面４５５と、の間に設けられ、交差面４５５は、係止凸部４５の一部である。これによれば、ハウジング４の強度を損なうことなく案内溝４６を形成することができる。
【００４６】
（第２実施形態）
次に、本発明の第２実施形態にかかるコネクタを、図８〜図１３を参照して説明する。なお、前述した第１実施形態と同一部分には同一符号を付して説明を省略する。第２実施形態にかかるコネクタ１´と、第１実施形態にかかるコネクタ１との差異は、ハウジング１４の係止凸部１４５及び、スペーサ１５における挿入脚部１５２の係止突起１５４にある。ハウジング１４、及びスペーサ１５は、コネクタハウジング１０´を構成する。
【００４７】
第２実施形態の係止凸部１４５は、図１０Ａ、図１０Ｂに示すように、ハウジング本体１４０の第一側壁部４４Ｃ及び第二側壁部４４Ｄの各内面４４１に略垂直な凸部上面４５１、及び凸部下面４５２と、凸部上面４５１と凸部下面４５２との間に位置してこれらに連続される凸部鉛直面４５７と、を有している。凸部上面４５１、凸部下面４５２、及び凸部鉛直面４５７は、第一側壁部４４Ｃ及び第二側壁部４４Ｄの各内面４４１に連続して設けられている。凸部鉛直面４５７は、第一側壁部４４Ｃ及び第二側壁部４４Ｄの各内面４４１から離れるにしたがって、ハウジング本体１４０の前面４０Ａ、及び背面４０Ｂから離れるように傾斜する傾斜面から構成されている。
【００４８】
また、ハウジング本体１４０には、案内溝１４６が形成されている。案内溝１４６は、第一側壁部４４Ｃ及び第二側壁部４４Ｄの各内面４４１と、凸部鉛直面４５７と、の間に設けられている。案内溝１４６は、上下方向（一つの壁としてのハウジング本体１４０の上壁部４４Ａから離れる方向）に延在して設けられている。このような案内溝１４６に後述するスライド係合部１５５が係合されることにより、挿入脚部１５２が、第一側壁部４４Ｃ及び第二側壁部４４Ｄの各内面４４１に沿って挿入されるように案内される。
【００４９】
係止突起１５４は、図１１、図１２Ａ、図１２Ｂに示すように、各挿入脚部５２のスペーサ本体５１から離れた下端部において、スリット５２１から離れる前後方向に突出して設けられている。また、係止突起１５４は、案内溝１４６に係合した状態で移動されるスライド係合部１５５と、スライド係合部５５が案内溝１４６に係合するようにガイドする係合ガイド部１５６と、を有している。
【００５０】
スライド係合部１５５は、図１２Ａ、図１２Ｂに示すように、各係止凸部１４５の凸部鉛直面４５７に対向する対向面５５４を有している。対向面５５４は、挿入脚部１５２が自然状態である際に、スペーサ本体５１の面延在方向に直交する方向に延在されている。
【００５１】
係合ガイド部１５６は、スライド係合部１５５のスペーサ本体５１から離れた側（下方）に隣接して設けられているとともに、各挿入脚部１５２の先端部に設けられている。また、係合ガイド部１５６は、先端に向かうにしたがって先細となるように傾斜するガイド面５６３（傾斜面）を有している。ガイド面５６３は、スライド係合部５５の対向面５５４の下方に連続して設けられている。このような係合ガイド部１５６は、スペーサ１５が挿入された際に、各挿入脚部１５２が撓んでいない自然状態で、ガイド面５６３が、係止凸部１４５の凸部上面４５１と凸部鉛直面４５７との境界に位置する第３縁１４５ａに当接するようになっている。
【００５２】
さらに挿入されることで、ガイド面５６３が第３縁１４５ａに摺接されつつ、ガイド面５６３の傾斜により挿入脚部１５２がスリット５２１側に弾性変形する。図１３に示すように、スライド係合部１５５の対向面５５４が各係止凸部１４５の凸部鉛直面４５７に対向（または接触）される。さらに挿入されることで、スライド係合部１５５が係止凸部１４５の下側に位置されて、係止突起１５４が係止凸部１４５を係止する。これによれば、第１実施形態と略同様の効果が奏される。
【００５３】
なお、本発明は、前記実施形態に限定されるものではなく、本発明の目的が達成できる他の構成等を含み、以下に示すような変形等も本発明に含まれる。
【００５４】
例えば、前記実施形態では、係止凸部４５、１４５は、ハウジング本体４０、１４０の第一及び第二側壁部４４Ｃ、４４Ｅの各内面４４１に設けられているが、本発明はこれに限定されるものではない。係止凸部４５、１４５は、第一及び第二側壁部４４Ｃ、４４Ｅの各内面４４１のうち一方のみに設けられていてもよい。
【００５５】
また、前記実施形態では、案内溝４６、１４６は、ハウジング本体４０、１４０の第一及び第二側壁部４４Ｃ、４４Ｅの各内面４４１と、各内面４４１に連続されるとともに当該内面４４１に交差する交差面４５５、４５７と、の間に設けられており、交差面４５５、４５７は、係止凸部４５、１４５の一部であるが、本発明はこれに限定されるものではない。ハウジング本体４０の強度を多少損なうものの案内溝は、ハウジング本体４０、１４０の第一及び第二側壁部４４Ｃ、４４Ｅの各内面４４１のみに形成された凹溝であってもよい。この場合には、交差面は、ハウジング本体４０、１４０の第一及び第二側壁部４４Ｃ、４４Ｅに形成されていてもよい。または、案内溝は、係止凸部のみに形成された凹溝であってもよい。この場合には、交差面は、ハウジング本体４０、１４０の第一及び第二側壁部４４Ｃ、４４Ｅに形成されていなくともよい。
【００５６】
また、前記実施形態では、スペーサ５、１５はそれぞれ、スライド係合部５５、１５５を有しているが、本発明はこれに限定されるものではない。例えば、案内溝４６、１４６をスペーサに係合するような形状に形成してもよい。例えば、案内溝の幅寸法（矢印Ｙ方向）が、係止突起の左右寸法より大きい寸法と成るように形成し、案内溝に係止突起の全体が係合するように形成してもよい。その場合には、スペーサは、従来品を用いてもよい。
【００５７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５８】
１ 、１´                  コネクタ
３                         端子金具
４、１４                    ハウジング
５、１５                    スペーサ
１０、１０´                コネクタハウジング
４２                        端子収容室
４４Ａ                      上壁部（一つの壁）
４４Ｂ                      底壁部（壁部）
４４Ｃ                      第一側壁部（壁部）
４４Ｄ                      第二側壁部（壁部）
４５、１４５                係止凸部
４６、１４６                案内溝
４５ａ                      第１縁（上縁）
４５ｂ                      第２縁（上縁）
１４５ａ                    第３縁（上縁）
５２                        挿入脚部
５５、１５５                スライド係合部
５６、１５６                係合ガイド部
４４０                      開口
４４１                      内面
４５５、４５７              交差面
５６１                      第１ガイド面（傾斜面）
５６２                      第２ガイド面（傾斜面）
Ｚ                          上下方向
【図１】
2019029292.tif 000003
【図２】
2019029292.tif 000004
【図３Ａ】
2019029292.tif 000005
【図３Ｂ】
2019029292.tif 000006
【図４】
2019029292.tif 000007
【図５Ａ】
2019029292.tif 000008
【図５Ｂ】
2019029292.tif 000009
【図６】
2019029292.tif 000010
【図７】
2019029292.tif 000011
【図８】
2019029292.tif 000012
【図９】
2019029292.tif 000013
【図１０Ａ】
2019029292.tif 000014
【図１０Ｂ】
2019029292.tif 000015
【図１１】
2019029292.tif 000016
【図１２Ａ】
2019029292.tif 000017
【図１２Ｂ】
2019029292.tif 000018
【図１３】
2019029292.tif 000019
【図１４】
2019029292.tif 000020